(57)【特許請求の範囲】
【請求項１】
販売業者端末、前記販売業者端末にアクセスして注文を行う顧客端末、収納代行装置および認証装置を含む課金システムであって、
前記収納代行装置は、前記顧客端末から注文の決済方法の選択依頼を受け付けたとき、予め登録されていた前記収納代行装置のＩＤを付加して前記販売業者端末へ転送する転送手段を備え、
前記販売業者端末は、前記収納代行装置のＩＤの認証を前記認証装置へ依頼する依頼手段と、前記収納代行装置のＩＤの認証結果を前記認証装置から受信する受信手段と、前記認証結果に従って、前記収納代行装置による決済処理を選択するためのボタンを前記注文の決済方法の選択画面に付加する付加手段と、前記選択画面が前記顧客端末で表示され、前記ボタンが前記顧客端末により選択されると、前記注文の代金の収納の代行を依頼するコマンドを前記収納代行装置へ送信する送信手段とを備え、
前記収納代行装置は、前記コマンドに付加された前記注文の代金を示す請求書を作成する作成手段をさらに備えたことを特徴とする課金システム。
【発明の詳細な説明】
【０００１】
【発明の属する技術分野】
本発明は課金システムに関する。
【０００２】
【従来の技術】
従来、ＩＴ（Information  Technology）技術を利用した代金の収納代行方法としては、販売業者と契約した通信キャリア業者のサイトが、前記販売業者から購入した商品の料金をキャリアの使用料金と合算して、商品の購買者であるユーザに請求する方法がある（例えば、特許文献１参照）。
ここで、通信キャリア業者のサイトは、インターネットなどのネットワークを利用して、契約や決済などを行う取引形態のサイトである。
【０００３】
【特許文献１】
特開２００２−５６３３７号公報
【０００４】
【発明が解決しようとする課題】
しかしながら、このような収納代行方法では、例えば、ホテル宿泊者のような不特定のユーザが不特定多数の販売業者から商品を購入した際の購入代金を、ホテル業者のような不特定多数の業者が代行して収納をしようとしても、販売業者とホテル業者との間で互いの信用を確認することができず、結果として収納代行をすることができないという問題があった。
【０００５】
本発明はこのような問題点にかんがみ、不特定多数の代金収納代行業者と、不特定多数の販売業者との双方の信用を確認できるようにして、双方のリスクを軽減することにより、代金収納の代行を確実に、且つ安全に行うことができるようにすることを目的とするものである。
【０００６】
【課題を解決するための手段】
本発明の課金システムは、販売業者端末、前記販売業者端末にアクセスして注文を行う顧客端末、収納代行装置および認証装置を含む課金システムであって、前記収納代行装置は、前記顧客端末から注文の決済方法の選択依頼を受け付けたとき、予め登録されていた前記収納代行装置のＩＤを付加して前記販売業者端末へ転送する転送手段を備え、前記販売業者端末は、前記収納代行装置のＩＤの認証を前記認証装置へ依頼する依頼手段と、前記収納代行装置のＩＤの認証結果を前記認証装置から受信する受信手段と、前記認証結果に従って、前記収納代行装置による決済処理を選択するためのボタンを前記注文の決済方法の選択画面に付加する付加手段と、前記選択画面が前記顧客端末で表示され、前記ボタンが前記顧客端末により選択されると、前記注文の代金の収納の代行を依頼するコマンドを前記収納代行装置へ送信する送信手段とを備え、前記収納代行装置は、前記コマンドに付加された前記注文の代金を示す請求書を作成する作成手段をさらに備えたことを特徴とする。
【００１３】
【発明の実施の形態】
以下、図面を参照しながら本発明の課金システムの実施の形態を説明する。
本実施の形態では、インターネット回線を介して種々のサイトにアクセスできるサービスを宿泊客に提供するホテルにおいて、宿泊客がインターネット店舗であるフォトサイトにアクセスしてプリント注文を行い、その際の料金を宿泊料金に合算してホテルで支払う場合を一例にして説明する。
【００１４】
図１は、本実施の形態における収納代行方法を適用した収納代行システムの一例を示す構成図である。
図１において、１は代金の収納代行業者であり、図１にはホテルが収納代行業者１として示されている。
【００１５】
２はＥＣサイトに相当するフォトサイト、３は中立の立場にある仲介業者により運営される認証サイトであり、あらかじめ契約を交わしている収納代行業者（ホテル）１に対してのみ、その信用性を保証している。
【００１６】
４はＩＤ通知手段であり、収納代行業者１を識別するＩＤを、販売業者であるフォトサイト２（インターネット店舗）に通知する手段である。５は前記収納代行業者１を識別するＩＤを認証サイト３に問い合わせる問い合わせ手段であり、６は販売業者であるフォトサイト２から依頼された問い合わせに対してその問い合わせ結果を通知するための問い合わせ結果通知手段である。７は代金の収納を収納代行業者１に依頼する代金収納依頼手段、８は収納代行を行うための各処理を指示する収納代行指示手段である。
【００１７】
９は宿泊料などの精算を行うホテルのＰＭＳ（Property Management System）、１０は購買者に相当する宿泊者である。１１はパーソナルコンピュータなどの端末、１２は端末１１へＬＡＮアクセスを提供する無線ＬＡＮアクセスポイントなどのアクセスポイント（ＡＰ）、１３はインターネットへのアクセスを制御するゲートウェイ（ＧＷ）装置である。
【００１８】
図３は宿泊者１０がフォトサイト２でプリント注文をする際の注文画面の一例を示す図である。
図３において、３１は画像の表示領域であり、図３においては第１の画像３１ａ、第２の画像３１ｂ、第３の画像３１ｃの３つを表示した例を示している。３３は選択された画像のプリント注文枚数を指定する領域であり、図３においては１枚を指定する第１の領域３３ａ、２枚を指定する第２の領域３３ｂ、３枚を指定する第３の領域３３ｃの３つの領域を表示した例を示している。３２は配送先の住所を指定する領域であり、３４は決済方法を選択するための決済選択ボタン、３５は支払い金額の総額を表示する領域である。
【００１９】
図６は、図３に示す決済選択ボタン３４を押下した後で、その決済方法を具体的に選択するための画面の一例を示す図である。
図６において、６０は決済方法を選択する画面の全体であり、以下に示す３つの決済選択ボタン６１、６２、６３が表示される。
【００２０】
すなわち、６２は「クレジットカード支払い」を選択するボタン、６３は「コンビニ支払い」を選択するボタン、６１は現在のアクセス場所（収納代行業者１であるホテル）で支払うことを表した「ここで支払う」を選択するボタンである。なお、「ここで支払う」を選択するボタン６１は、認証サイト３からの認証が得られた後に初めて表示されるボタンである。
【００２１】
図４は、前記「ここで支払う」ボタン６１を押下して、そのアクセス場所での支払いを確認する画面を示す図である。
図４において、４０はアクセス場所での支払いを確認する画面の全体であり、４４はアクセス場所の名称の表示領域、４５はアクセス者（宿泊者１０）の付帯情報の表示領域、４１は支払い金額の明細の表示領域、４２は支払い総額の表示領域、４３は支払い確認ボタン、４６はキャンセルボタンである。
【００２２】
図５は、ゲートウェイ装置１３が転送するＨＴＴＰ（Hyper Text Markup Language）プロトコルのヘッダ情報を示す図である。
図５において、５１は通常のＨＴＴＰヘッダ部、５２はゲートウェイ装置１３が付加する収納代行業者１のＩＤを示すヘッダ行、５３は＜ＦＯＲＭ＞などのＨＴＴＰの本文である。
【００２３】
次に、図２を用いて、本実施の形態の処理を説明する。
図２は、本実施の形態の処理フローを示す図である。
宿泊客１０は、各部屋に設置されたインターネットアクセスポイント装置１２によって端末１１をインターネット１４に接続した状態にし、ゲートウェイ装置１３を介して、フォトサイト２にアクセスする（ステップＳ２１）。
【００２４】
次に、フォトサイト２は、宿泊客１０からのプリント注文を受付けるために、図３及び図４に示した一連の画面を表示する（ステップＳ２２）。
これらの画面が表示される過程で、宿泊客１０は、画像のアップロードなどの実行や一連の注文情報の入力を必要に応じて行ってから、図３に示したプリント注文画面の決済方法の選択へ進むための決済選択ボタン３４を押す（ステップＳ２３）。
【００２５】
この場合、ゲートウェイ装置１３は、Ｗｅｂブラウザから送信される図５に示したＨＴＴＰプロトコルデータのヘッダ５１に対して、ゲートウェイ装置１３にあらかじめ登録されていた収納代行業者ＩＤを付加して、これをフォトサイト２に転送する（ステップＳ２４）。
【００２６】
フォトサイト２は、受け取ったＨＴＴＰデータのヘッダ５１から付加された収納代行業者ＩＤを取り出す（ステップＳ２５）。
次に、フォトサイト２は、この収納代行業者ＩＤを認証サイト３に問い合わせる（ステップＳ２６）。問い合せを受けた認証サイト３では、信頼できる収納代行業者１としてそのＩＤがあらかじめ登録されているデータベースを用いて、この収納代行業者ＩＤを認証する。
【００２７】
認証サイト３は、収納代行業者ＩＤに対する認証の問い合わせ結果と、さらに、その問い合わせ結果がＯＫ、（すなわち、登録済みの収納代行業者）であった場合には、あらかじめ登録されている収納代行業者１の名称とをフォトサイト２に通知する（ステップＳ２７）。
【００２８】
また、前記問い合わせ結果がＯＫであった場合には、フォトサイト２は、図６に示した決済方法を選択する画面６０において、「クレジットで支払う」ボタン６２及び「コンビニで支払う」ボタン６３の他に、「ここで支払う」ボタン６１を付加して表示する（ステップＳ２８）。
【００２９】
宿泊客１０が前記画面６０に表示された「ここで支払う」ボタン６１を押した場合（ステップＳ２９）、次に、ゲートウェイ装置１３は、宿泊客１０の部屋番号や名前などの付帯情報を、図５に示したＨＴＴＰデータのヘッダ部５１に付加して、これをフォトサイト２へ転送する（ステップＳ２１０）。
なお、「クレジットで支払う」を選択するボタン６２及び「コンビニで支払う」を選択するボタン６３を押下した場合については、既知の処理手順に従って処理なされるため、本実施の形態では説明を省略する。
【００３０】
フォトサイト２では、この宿泊者１０の付帯情報を図４に示す確認画面４０の付帯情報の表示領域４５に、収納代行業者１の名称をアクセス場所の名称の表示領域４４にそれぞれ表示する（ステップＳ２１１）。
宿泊客１０が前記確認画面４０を確認してＯＫボタン４３を押下すると（ステップＳ２１２）、フォトサイト２は、ゲートウェイ装置１３に対してプリント代金の収納代行を依頼するコマンドを送信する（ステップＳ２１３）。このとき、送信されるコマンドには、宿泊客１０に対しての請求に必要な代金の金額や、明細の情報などが付加される。
【００３１】
ゲートウェイ装置１３は、フォトサイト２から送信されたコマンドを受け取ると代金の請求書を作成し、ホテルのフロントなどに置かれたプリンタで前記請求書を印刷する（ステップＳ２１４）。
なお、ステップＳ２１４では、請求書をプリンタで印刷する形態のほか、収納代行業者（ホテル）１のＰＭＳ（Property Management System）９とゲートウェイ装置１３とを接続して、両者を既知のＰＭＳプロトコルで結合することにより、代金の精算を電子化する形態にしてもよい。
【００３２】
また、ステップＳ２４およびステップＳ２６で収納代行業者ＩＤを送信する際は、既知の暗号化手法を用いることによって、盗聴やなりすまし等を防止する形態が望ましい。
【００３３】
また、本実施の形態では、ＥＣサイト２と認証サイト３とが別個である例を示したがこれに限られず、ＥＣサイト２のひとつが認証サイト３を兼ねる形態であってもよい。
【００３４】
また、本発明の目的は、前記本実施の形態における収納代行方法の機能を実現するソフトウェアのプログラムコードを記憶した記憶媒体を、システム或いは装置に供給し、そのシステム或いは装置のコンピュータ（又はＣＰＵやＭＰＵ）が記憶媒体に格納されたプログラムコードを読みだして実行することによっても、達成されることは言うまでもない。
【００３５】
この場合、記憶媒体から読み出されたプログラムコード自体が前記本実施の形態の機能を実現することとなり、そのプログラムコードを記憶した記憶媒体及び当該プログラムコードは本発明を構成することとなる。
プログラムコードを供給するための記憶媒体としては、ＲＯＭ、フレキシブルディスク、ハードディスク、光ディスク、光磁気ディスク、ＣＤ−ＲＯＭ、ＣＤ−Ｒ、磁気テープ、不揮発性のメモリカード等を用いることができる。
【００３６】
また、コンピュータが読みだしたプログラムコードを実行することにより、本実施の形態の機能が実現されるだけでなく、そのプログラムコードの指示に基づき、コンピュータ上で稼動しているＯＳ等が実際の処理の一部又は全部を行い、その処理によって本実施の形態の機能が実現される場合も含まれることは言うまでもない。
【００３７】
【発明の効果】
以上のように、本発明によれば、顧客が販売業者から購入した際の購入代金を、前記販売業者に代わって代金収納代行業者が回収するにあたり、所定の識別情報に基づいて代金収納代行業者の認証を行い、代金収納代行業者の認証がされた場合にのみ前記購入代金を前記代金収納代行業者において回収できるようにしたので、不特定多数の代金収納代行業者と不特定多数の販売業者との間で、互いの信用を確認し合うことが可能となり、双方のリスクを軽減して確実且つ安全性の高い代金収納代行を仲介することができる。
【図面の簡単な説明】
【図１】本実施の形態の収納代行仲介方法を適用したシステムの全体構成図である。
【図２】本実施の形態における収納代行仲介の処理フローを示す図である。
【図３】フォトサイトでプリント注文を行うための画面例を示す図である。
【図４】ホテルでの決済を確認するための画面例を示す図である。
【図５】ゲートウェイ装置がフォトサイトへ転送するＨＴＴＰプロトコルのヘッダ情報を示す図である。
【図６】決済方法を選択するための画面例を示す図である。
【符号の説明】
１  代金収納代行業者（ホテル）
２  販売業者（フォトサイト）
３  認証サイト
４  ＩＤ通知手段
５  問い合わせ手段
６  問い合わせ結果通知手段
７  代金収納依頼手段
８  収納代行指示手段
９  ＰＭＳ
１０  購買者
１１  端末
１２  アクセスポイント
１３  ゲートウェイ装置
１４  インターネット
【図１】
0004332375.tif 000002
【図２】
0004332375.tif 000003
【図３】
0004332375.tif 000004
【図４】
0004332375.tif 000005
【図５】
0004332375.tif 000006
【図６】
0004332375.tif 000007